(57)【特許請求の範囲】
【請求項１】
少なくとも１つの撃針ホルダ（１）と、少なくとも１つのロック要素（２）と、少なくとも１つの圧縮ばね（６）と、少なくとも１つの撃針（７）と、雷管（９）と、発射薬（１３）と、切断要素（１４）と、ストッパ（１５）と、剪断ピン（１７）と、を有し、
少なくとも１つのロック要素（２）は、前記少なくとも１つの圧縮ばね（６）を介して前記少なくとも１つの撃針ホルダ（１）と前記少なくとも１つの撃針（７）との間の接続を保証するボールを有し、前記少なくとも１つのロック要素（２）は、前記少なくとも１つの圧縮ばね（６）によって設定される引っ張り力で前記少なくとも１つの撃針ホルダ（１）が切断装置（２０）の外側へ引っ張られることによって解放されるときに、前記接続が前記少なくとも１つの撃針ホルダ（１）の移動によって解除されることを特徴とする、切断装置（２０）。
【請求項２】
前記雷管（９）と前記発射薬（１３）との間に発火遅延用要素（１１）が配置されていることを特徴とする、請求項１に記載の切断装置（２０）。
【請求項３】
前記剪断ピン（１７）が前部スリーブ（１６）内に受容されていることを特徴とする、請求項１又は２に記載の切断装置（２０）。
【請求項４】
前記切断要素（１４）はチゼルであることを特徴とする、請求項１〜３の何れか一項に記載の切断装置（２０）。
【請求項５】
ブレーキパラシュートを備えた子弾薬と、前記ブレーキパラシュートと前記子弾薬との間の機械的接続を切断するための請求項１〜４の何れか一項に記載の切断装置（２０）と、を有する弾薬であって、
前記機械的接続がストッパ（１５）の前の開口部内に位置する弾薬。
【請求項６】
デコイを生ずるための効果弾であることを特徴とする、請求項５に記載の弾薬。
【請求項７】
切断すべき機械的接続が前記ストッパ（１５）の前の開口部内に位置する、請求項１〜４の何れか一項に記載の切断装置（２０）を有するパラシュートシステム。
【請求項８】
機械的接続を介して車両構造に取り付けられた構築物や、部分組立品などを備えた車両であって、
請求項１〜４の何れか一項に記載の切断装置（２０）を有し、切断すべき機械的接続が前記ストッパ（１５）の前の開口部内に位置する、車両。
【発明の詳細な説明】
【技術分野】
【０００１】
本発明は、機械的接続を介して互いに接続されている少なくとも２つの部分組立品を切断するための切断装置に関する。本発明は、特に制動システムを弾薬から切断するための切断システムに関する。弾薬とは、特にデコイ（decoy）を生ずるための子弾薬であり得る。
【背景技術】
【０００２】
通常発射時にプログラムされた所定の遅延時間の後、子弾薬は、実際のキャリア、例えばロケットから分離されなければならない。この分離中において子弾薬は加速される。しかし、その結果生じる速度は、デコイ自体の効果と安定性を保つには高くなりすぎる。したがって、子弾薬は所定の速度まで減速されなければならない。この減速を保証するために、子弾薬は完全に展開（拡散）する前に、ブレーキパラシュートによって減速される。このブレーキパラシュートは、デコイが過度に減速されないように、所定の時間後に子弾薬システム全体から切り離されなければならない。この切り離しは実際には切断装置が引き受ける。ロープ切断装置若しくはワイヤ切断装置として設計されたこの種の切断装置は、切断装置がトリガされて約０．６秒後に、例えばアラミド繊維製のコードを切断するように作られている。この時間は、好ましくは発火遅延用要素によって可変に調整可能である。切断される媒体の種類は指定されている。切断装置の性能は、例えば種々の発火組成物、種々のブレード材料、種々のブレード形状によって調整可能である。この切断によってブレーキパラシュートが投下され、メインパラシュートがデコイを起動する。
【０００３】
そのような弾薬は特許文献１に示されている。ブレーキ段階の終わりに、カセット部分がブレーキパラシュートと一緒に切り離される。ブレーキパラシュートを備えた別の弾薬が、特許文献２に記載されている。
【０００４】
特許文献３から、プログラミング用の電線、例えばケーブルを有する弾薬が知られている。このケーブルは発射過程の可能な限り早い時期に切断されなければならない。そのために切断装置が組み込まれており、これは主としてしっかり嵌め込まれたシリンダ内で案内された、好ましくは鋭利なエッジを備えたピストンからなる。ケーブルは、発射薬点火器と接続された保護管内に固定されて発射薬点火器の先端まで案内され、さらに弾丸尾部まで延びている。ここでケーブルはシリンダの上部領域で加速方向に対して横断方向の孔に通される。ピストンが前方に動くと、ケーブルは鋭利なエッジによって切断される。
【０００５】
実際にはこのような機械的切断装置と並んで、種々の電気ロープカッターがあり、それらはすべて蓄積されたエネルギーの原理に基づいて作動する。しかしそれらの難点は、使用期間がエネルギー蓄積媒体によって制限されることである。エネルギー蓄積媒体は機械的切断装置ならば緊張したばねなどであり、電気切断装置ならばバッテリーなどであろう。特に電気切断装置の場合、これらは電磁妨害放射と静電放電に対して非常に敏感である。これらの要因は、電気発火装置／電橋雷管に基づく切断装置にとっては機能連鎖におけるリスクをなしている。妨害放射や静電気放電により、意図せずそれらの影響を受ける可能性がある。
【先行技術文献】
【特許文献】
【０００６】
【特許文献１】独国実用新案第８７１１９２２（Ｕ１）号明細書
【特許文献２】独国特許出願公開第１９６４４３８０（Ａ１）号明細書
【特許文献３】独国特許出願公開第１０２００５０１０１２５（Ａ１）号明細書
【発明の概要】
【発明が解決しようとする課題】
【０００７】
本発明の課題は、過酷な環境条件下でも、機械的接続を介して互いに接続された２つのモジュールの切断を確実に保証する切断装置を提供することである。
【０００８】
上記の課題は、請求項１の特徴によって解決される。有利な実施形態が従属請求項に記載されている。
【課題を解決するための手段】
【０００９】
本発明は、蓄積されたエネルギーの原理を不要にし、ブレーキパラシュートの制動エネルギーにより圧縮ばねを介して撃針をセットするという考えに基づいている。ブレーキパラシュートの所定の張力を超えると、撃針がロック解除される。するとこの撃針は雷管を打撃し、雷管は遅延用発火組成物を起爆する。遅延用発火組成物が燃え尽きた後で、切断装置が起動する。これは、例えば切断装置の本来の装薬に点火することにより行われる。この場合、装薬は高エネルギー材料とすべきである。このために切断装置は、ガス圧を生成するための少なくとも１つの加工装薬を含んでおり、このガス圧の働きで切断装置の機械的切断要素が切断を引き起こす。
【００１０】
このように構成された切断装置の利点は、切断装置が事前に蓄積されたエネルギーなしで済ますことができる点である。切断装置の機能連鎖は、純粋に機械的な原理に基づいている。発火組成物に点火するためのエネルギーは、ブレーキパラシュートの遅延作用によって弾薬システムに付加される。さらに、発火組成物のみが使用されるため、切断装置は静電放電や電磁妨害放射に影響されない。
【００１１】
装薬に点火することにより急激に高いガス体積が発生する。このガス体積は切断装置の切断要素、例えばチゼルを相応に加速する。チゼルはその加速までは剪断ピンによって所定の位置に保持され、一定量のガスが生成されると、それに伴って生じる圧力も相応に上昇して、剪断ピンも剪断できるほど高くなる。剪断ピンが剪断されたら、チゼルはガイドに沿って高速で移動し、そのガイドの端部には切断されるべき接続が案内されている。チゼルはこの接続に当たり、これをその後ろにあるディスク、例えば黄銅ディスクに打ち当てる。この衝突で接続が切断される。
【００１２】
本発明は、少なくとも１つの撃針ホルダ、少なくとも１つのロック要素、ばね、撃針、雷管、装薬、切断要素、ストッパ及び剪断ピンを有する切断装置を提案し、少なくとも１つのロック要素が、撃針ホルダと撃針の間の接続をもたらす。ばねは所定の時点に、例えばブレーキパラシュートの制動エネルギーによって圧縮される。撃針ホルダが所定の距離を移動した後でロック要素が解除される。この解除の結果ばねが弛緩し、それによって撃針が加速されて、最後に雷管に衝突する。撃針が雷管に内に打ち込まれることにより、雷管内の発火組成物が点火される。雷管内の発火組成物の起爆により、遅延用要素（存在する場合）が点火される。それによって遅延時間が調整される。雷管又は遅延用要素は別の装薬を発火させる。それによって生成されたガス体積は、切断要素に圧力を加える。一定の圧力を超えると剪断ピンが剪断され、それによって切断要素は軸方向に加速される。切断要素は加速の結果生じる高速でストッパに衝突して、その中に進入する。その際にストッパの前の開口部に通されている接続が切断される。
【００１３】
上記の切断装置の使用は、弾薬での使用に限定されていない。この切断装置は、コード、テープ又は類似のものを切断するために、電気又はその他の蓄積されたエネルギーを不要にする必要があるすべての領域で使用できる。例えばこの切断装置を非常システムとしても、したがってパラシュートシステム全般における非常ロープカッターとして、通常の切断機構に取り付けることができる。非常システムは、本来の切断装置、例えば電気切断装置が故障した場合に作動できる。パラシュートシステムには、人用のパラシュートも含まれている。
【００１４】
例えば様々な構築物や、部分組立品などが鋼製ロープや類似のもので車両構造に接続されている防護車両のキャビンでの使用も考えられる。ここでは撃針は別個にセットされることになろうが、撃針のセットは手動でも可能とすべきである。
【００１５】
以下に本発明を図面に示した実施形態に基づいて詳細に説明する。
【図面の簡単な説明】
【００１６】
【図１】本発明による切断装置の分解図である。
【図２】組み立てた切断装置の断面図である。
【図３】組み立てた切断装置の断面図である。
【図４】組み立てた切断装置の断面図である。
【図５】代替的な連結方法を示す。
【発明を実施するための形態】
【００１７】
図１には、撃針ホルダ１、少なくとも１つのボール２、シールリングである２つのＯリング３、４、カバー５とばね６、及び撃針７を有する切断装置２０が示されている。さらに切断装置２０は、キャップ８、雷管９とセンターピース１０、及び発火遅延用要素１１を含む。ねじ式シーリングディスクは１２、発射薬は１３、チゼルは１４、ストッパは１５で示されている。切断装置２０は、前部スリーブ１６内に収容された剪断ピン１７により完成する。剪断ピン１７はユニオンナット１８によって、前部スリーブ１６に保持される。
【００１８】
動作方法は、次の通りである。
【００１９】
撃針ホルダ１が引っ張り力によりカバー５から引き出される。これに必要な力は、ばね６、ここでは圧縮ばねによって設定される。撃針ホルダ１が所定の距離を移動したら、少なくとも１つのボール２（ロック要素）が解除される。この少なくとも１つのボール２は、撃針ホルダ１と撃針７との間の接続をなしている。ボール２の解除により、撃針ホルダ１と撃針７との間の接続が解除される。その結果、ばね６が弛緩する。ばね６の弛緩により撃針７は加速されて、最後に雷管９の端部に衝突する。撃針７が雷管９に打ち込まれることによって、その中の発火組成物が点火される。雷管内の発火組成物を起爆することにより、遅延用要素１１が点火される。このことによって遅延時間が調整される。遅延時間は任意に設定できる。遅延時間は０秒であってもよい。遅延用要素１１が燃え尽きた後、その最後に別の発火組成物である発射薬１３が点火される。それによって生成したガス体積が切断要素１４、この場合はチゼルに圧力を加える。一定の圧力を超えると剪断ピン１７が剪断され、それにより切断要素１４が軸方向に加速される。切断要素１４は加速の結果として生じる高速でストッパ１５に衝突して、その中に進入する。その際にストッパ１５の前の開口部に通されている切断すべき接続が切断される。
【００２０】
図２は、ばね６が圧縮されていてボール２が解除される時点の切断装置２０を示している。図３には、ばね６が弛緩して遅延用要素１１が点火される時点が示されている。図４は、切断すべき接続が切断される時点を示している。
【００２１】
図５には、切断装置２０をシステムに掛着するための変形例を示している。
【図１】
0006978522.tif 000002
【図２】
0006978522.tif 000003
【図３】
0006978522.tif 000004
【図４】
0006978522.tif 000005
【図５】
0006978522.tif 000006